(57)【要約】【課題】省スペースに構成可能なレンズ鏡筒の遮光構造を提供する。【解決手段】撮影光学系の結像位置に撮像素子を保持する撮像素子保持部材と、該撮像素子保持部材の前方に位置し光軸方向に移動可能な進退部材を備えたレンズ鏡筒において、撮像素子保持部材は、撮像素子を内部に保持する筒状保持部の前面に、撮像素子への被写体光の入射を許す開口と、該開口の周囲に位置し光軸方向前方へ突出して開口内への有害光の進入を防ぐ遮光壁とを有し、進退部材は、撮像素子保持部材に最も接近する光軸方向の後方移動端にあるときに遮光壁を進入させる遮光壁格納凹部を有している。【選択図】図１
2011150131.tif 000002
【特許請求の範囲】
【請求項１】
撮影光学系の結像位置に撮像素子を保持する撮像素子保持部材と、該撮像素子保持部材の前方に位置し光軸方向に移動可能な進退部材を備えたレンズ鏡筒において、
上記撮像素子保持部材は、上記撮像素子を内部に保持する筒状保持部の前面に、撮像素子への被写体光の入射を許す開口と、該開口の周囲に位置し光軸方向前方へ突出して開口内への有害光の進入を防ぐ遮光壁とを有し、
上記進退部材は、上記撮像素子保持部材に最も接近する光軸方向の後方移動端にあるとき、上記遮光壁を進入させる遮光壁格納凹部を有していることを特徴とするレンズ鏡筒の遮光構造。
【請求項２】
請求項１記載のレンズ鏡筒の遮光構造において、上記撮像素子保持部材の開口は略矩形をなし、上記遮光壁は、該矩形開口の少なくとも３辺を囲む形状であるレンズ鏡筒の遮光構造。
【請求項３】
請求項２記載のレンズ鏡筒の遮光構造において、上記撮像素子保持部材の遮光壁は、上記矩形開口の３辺を囲む形状であり、
上記進退部材は、光軸方向後方に突出し、光軸に沿って見て上記矩形開口の残る一辺に沿って位置するサブ遮光壁を有し、
上記遮光壁とサブ遮光壁によって上記矩形開口への有害光の進入を防ぐレンズ鏡筒の遮光構造。
【請求項４】
請求項２記載のレンズ鏡筒の遮光構造において、上記撮像素子保持部材の遮光壁は、上記矩形開口の４辺を囲む形状であるレンズ鏡筒の遮光構造。
【請求項５】
請求項１ないし４のいずれか１項記載のレンズ鏡筒の遮光構造において、上記進退部材は、撮影光学系を構成する複数のレンズ群のうち最も像面に近い最像面側レンズ群を保持し、該最像面側レンズ群の周囲に上記遮光壁格納凹部が形成されているレンズ鏡筒の遮光構造。
【請求項６】
請求項１ないし５のいずれか１項記載のレンズ鏡筒の遮光構造において、上記遮光壁は、上記撮像素子保持部材の一部として一体形成されているレンズ鏡筒の遮光構造。
【発明の詳細な説明】
【技術分野】
【０００１】
本発明はレンズ鏡筒の遮光構造に関する。
【背景技術】
【０００２】
レンズ鏡筒において有害光の進入を防ぐ遮光構造は様々なものが提案されている。例えば、特許文献１では、レンズ鏡筒内における光軸方向への可動部材の後端部に、光軸と直交する方向の板状またはフィルム状の遮光部材（フレアカッター）が設けられている。
【先行技術文献】
【特許文献】
【０００３】
【特許文献１】特開平１１-３０５０９８号公報
【発明の概要】
【発明が解決しようとする課題】
【０００４】
筒状部材を同心状に重ねたレンズ鏡筒において、特許文献１のような遮光構造では、外径側に位置する大径の筒状部材ほど、大型（大径）の遮光部材を必要とする。しかし、レンズ鏡筒の小型化の要求はとどまることがなく、遮光構造においても極限までの小型化が求められている。そこで本発明は、省スペースに構成可能なレンズ鏡筒の遮光構造を提供することを目的とする。
【課題を解決するための手段】
【０００５】
本発明は、撮影光学系の結像位置に撮像素子を内部に保持する撮像素子保持部材と、該撮像素子保持部材の前方に位置し光軸方向に移動可能な進退部材を備えたレンズ鏡筒において、撮像素子保持部材は、撮像素子を保持する筒状保持部の前面に、撮像素子への被写体光の入射を許す開口と、該開口の周囲に位置し光軸方向前方へ突出して開口内への有害光の進入を防ぐ遮光壁とを有し、進退部材は、撮像素子保持部材に最も接近する光軸方向の後方移動端にあるときに遮光壁を進入させる遮光壁格納凹部を有していることを特徴とする。
【０００６】
撮像素子保持部材の開口は略矩形をなし、撮像素子保持部材の遮光壁は、該矩形開口の少なくとも３辺を囲む形状であることが好ましい。例えば、遮光壁を矩形開口の４辺のうち３辺を囲む形状とし、進退部材に、光軸方向後方に突出して、光軸に沿って見て矩形開口の残る一辺に沿って位置するサブ遮光壁を設けた構成とすることができる。この構成では、矩形開口の３辺に沿う遮光壁と、残る一辺に沿うサブ遮光壁によって、矩形開口への有害光の進入が防がれる。別の構成として、撮像素子保持部材の遮光壁を、矩形開口の４辺すべてを囲む形状としてもよい。
【０００７】
進退部材は、撮影光学系を構成する複数のレンズ群のうち最も像面に近い最像面側レンズ群を保持するレンズ保持枠であり、該最像面側レンズ群の周囲に遮光壁格納凹部が形成されることが好ましい。
【０００８】
遮光壁を撮像素子保持部材の一部として一体形成することで、部品点数を少なくして製造コストを抑えることができる。
【発明の効果】
【０００９】
以上の本発明によれば、撮像素子を保持する筒状保持部の前面に、光軸方向前方へ突出する形態の遮光壁を設けたため、従来の遮光構造に比べてコンパクトに構成することができる。また、撮像素子保持部材の前方に位置する進退部材に、その後方移動端で撮像素子保持部材側の遮光壁を進入させる遮光壁格納凹部を形成したことにより、レンズ鏡筒の収納状態でのスペース効率を向上させることができる。
【図面の簡単な説明】
【００１０】
【図１】本発明を適用したズームレンズ鏡筒の一実施形態を示す撮影状態（ズーム域）での断面図である。
【図２】同ズームレンズ鏡筒の収納（沈胴）状態での断面図である。
【図３】同ズームレンズ鏡筒の主要な構成要素の分解斜視図である。
【図４】撮像素子ホルダに対するローパスフィルタと撮像素子の組付構造を示す分解斜視図である。
【図５】３群レンズ枠を後方から見た斜視図である。
【発明を実施するための形態】
【００１１】
図１及び図２は、本発明を適用した沈胴式ズームレンズ鏡筒ＺＬの一実施形態を示している。このズームレンズ鏡筒ＺＬの撮影光学系は、物体（被写体）側から順に第１レンズ群ＬＧ１、シャッタＳ、開口可変絞りＡ、第２レンズ群ＬＧ２、第３レンズ群ＬＧ３、ローパスフィルタ２５及び撮像素子２６を備えている。以下の説明中で光軸方向とは、この撮影光学系の光軸Ｏと平行な方向を意味し、前方とは光軸方向の前方（被写体側）、後方とは光軸方向の後方（像面側）を意味する。
【００１２】
ズームレンズ鏡筒ＺＬは固定部材として筒状のハウジング２２を有し、ハウジング２２の後部に撮像素子ホルダ（撮像素子保持部材）２１が固定される。図１ないし図４に示すように、撮像素子ホルダ２１は角筒状の筒状保持部２１ａを有し、その内部にローパスフィルタ２５と撮像素子２６が保持される。詳細には、筒状保持部２１ａは、光軸Ｏと略直交する方向の前面壁部２１ｂを有し、該前面壁部２１ｂの中央に、矩形の前面開口２１ｃが光軸方向へ貫通形成されている。筒状保持部２１ａ内には、前面壁部２１ｂの後面に当て付けてローパスフィルタ２５が保持され、該ローパスフィルタ２５の後面の外縁部付近に、四角枠状のパッキン２７が当接している。パッキン２７の後部には撮像素子２６が当接し、該撮像素子２６が固定される撮像素子保持板６２をネジ６３（図４）を用いて撮像素子ホルダ２１の後方から締結固定することにより、ローパスフィルタ２５、撮像素子２６及びパッキン２７が筒状保持部２１ａ内に支持固定される。この支持固定状態で、撮像素子２６の前面の受光面２６ａとローパスフィルタ２５の間はパッキン２７によって密封される。受光面２６ａが撮影光学系の結像位置に位置するように、撮像素子２６の光軸方向位置がスペーサ６４（図４）などを用いて適宜調整される。
【００１３】
第３レンズ群ＬＧ３は、ズームレンズ鏡筒ＺＬの撮影光学系における最も像面側のレンズ群であり、フォーカスレンズ群である。図３及び図５に示すように、３群レンズ枠（進退部材）５１は、第３レンズ群ＬＧ３を保持するレンズ保持筒部５１ａと、該レンズ保持筒部５１ａから外径方向に延設される一対のガイド腕部５１ｂ、５１ｃを有する。レンズ保持筒部５１ａとガイド腕部５１ｃの境界部分には、２群レンズ保持枠６に保持される第２レンズ群ＬＧ２が進入可能な２群レンズ収納凹部５１ｄが形成されている。撮像素子ホルダ２１の筒状保持部２１ａには、前面開口２１ｃの４辺のうち一辺に隣接する領域に、この２群レンズ収納凹部５１ｄを進入可能とさせる半円状凹部２１ｄが形成されている。一方のガイド腕部５１ｂに形成されたガイド孔に対して、ハウジング２２と撮像素子ホルダ２１に固定されたガイド軸５２が挿通され、このガイド軸５２を介して３群レンズ枠５１が光軸方向に直進移動可能に支持されている。他方のガイド腕部５１ｃの先端に設けた回り止め部が、ハウジング２２内に形成した回転規制部（不図示）に係合して３群レンズ枠５１の回転を規制する。３群レンズ枠５１は、ハウジング２２の外面に支持されるトーションバネからなる３群付勢バネ５５によって光軸方向前方へ付勢され、ＡＦナット５４に当て付いて前方への移動が規制される。ＡＦナット５４は、リードスクリュー５８に螺合しており、ＡＦモータ１６０によってリードスクリュー５８を回転させることにより光軸方向に移動される。したがって、３群レンズ枠５１はＡＦモータ１６０の駆動によって光軸方向に移動される。
【００１４】
ハウジング２２の内側には、３群レンズ枠５１の支持駆動手段とは別に、ズームモータ１５０により駆動制御される変倍群（カム環）ブロックが支持されている。変倍群（カム環）ブロックは、図３に示すように、直進案内環１０、カム環１１、繰出筒１２及び２群レンズブロック８０を含んでいる。
【００１５】
カム環１１は、繰出筒１２と共にズームレンズ鏡筒ＺＬの外観筒を構成しており、ハウジング２２の内周面に形成したカム環ガイド溝２２ａに対して摺動可能に嵌るガイド突起１１ａを有する。カム環１１は、ズームモータ１５０（図３）により回転駆動されるズームギヤ２８の駆動力をギヤ部１１ｂで受けて回転され、カム環ガイド溝２２ａの案内により回転しながら光軸方向に移動する。
【００１６】
直進案内環１０は、ハウジング２２の内面に形成した直進案内溝２２ｂに対して直進案内突起１０ａを摺動可能に係合させることで、光軸方向に直進移動可能に案内されている。直進案内突起１０ａの基部を構成する壁部と回転案内爪１０ｂの間に回転案内爪１１ｃを挟むことによって、直進案内環１０とカム環１１は、相対回転は可能で光軸方向に共に移動するように結合されている。
【００１７】
２群レンズブロック８０は、２群レンズ移動枠８の前部にシャッタブロック１００を固定した構成であり、２群レンズ移動枠８から外径方向に突出する直進案内キー８ａを、直進案内環１０に形成した光軸方向への長孔である直進案内スロット１０ｃに対して摺動可能に係合させることにより光軸方向へ直進案内されている。シャッタＳは光軸Ｏと平行な軸により軸支された複数枚のシャッタ羽根で構成され、この複数のシャッタ羽根をシャッタブロック１００に内蔵したアクチュエータにより駆動することで、シャッタＳが開閉される。シャッタブロック１００の後部には、ズームレンズ鏡筒ＺＬの状態に応じて開口径が変化する開口可変絞りＡが設けられている。開口可変絞りＡは、光軸Ｏと平行な軸により軸支された複数枚の絞り羽根で構成され、ズーム域のテレ端側（図１の下半断面）よりもワイド端側（図１の上半断面）で開口径を小さくするように開度が切り替えられるが、その両方の状態において、絞り開口内への第２レンズ群ＬＧ２の一部の進入を許す開口径となっている。
【００１８】
また、２群レンズ移動枠８の内部には、第２レンズ群ＬＧ２を保持した２群レンズ保持枠６が支持されている。２群レンズ保持枠６は、光軸方向に軸線を向けた回動軸を中心として揺動可能に支持されており、図１に示す撮影状態では、第２レンズ群ＬＧ２の中心を光軸Ｏと一致させる挿入位置に保持される。ズームレンズ鏡筒ＺＬの収納動作によって２群レンズ移動枠８が光軸方向後方に移動されると、２群レンズ保持枠６が撮像素子ホルダ２１に設けた離脱制御突起４０に当接して押圧回動され、図２に示す収納状態では、第２レンズ群ＬＧ２を、２群レンズ移動枠８に形成した径方向貫通孔８ｓや直進案内環１０に形成した径方向貫通孔１０ｓに進入させる離脱位置に保持される。２群レンズ保持枠６の詳細な支持駆動構造については、本発明の要旨と関係がないので詳細な説明を省略する。
【００１９】
カム環１１の内周面に形成した２群制御カム溝ＣＧ２に対し、２群レンズ移動枠８に設けた２群用カムフォロアＣＦ２が摺動可能に係合している。２群用カムフォロアＣＦ２は、直進案内キー８ａの外径部に設けられ、直進案内環１０を径方向に貫通する直進案内スロット１０ｃを通して２群用カムフォロアＣＦ２との係合位置まで突出されている。２群レンズ移動枠８（２群レンズブロック８０）は直進案内環１０を介して光軸方向に直進案内されているため、カム環１１が回転すると、２群制御カム溝ＣＧ２の形状に従って、２群レンズ移動枠８（２群レンズブロック８０）が光軸方向へ所定の軌跡で移動する。
【００２０】
繰出筒１２内には第１レンズ群ＬＧ１が保持されている。繰出筒１２は内面側に設けた直進案内キー１２ａ（図１）を直進案内環１０の直進案内溝１０ｄに対して摺動可能に係合させることで光軸方向へ直進案内されている。なお、繰出筒１２の直進案内機構である直進案内溝１０ｄ及び直進案内キー１２ａと、２群レンズブロック８０の直進案内機構である直進案内スロット１０ｃ及び直進案内キー８ａを、図１では同一断面位置に示しているが、図３から分かるように、それぞれの直進案内機構の実際の周方向位置は異なる。
【００２１】
カム環１１の内周面に形成した１群制御カム溝ＣＧ１に対し、繰出筒１２の後端部付近に設けた１群用カムフォロアＣＦ１が摺動可能に係合している。繰出筒１２は直進案内環１０を介して光軸方向に直進案内されているため、カム環１１が回転すると、１群制御カム溝ＣＧ１の形状に従って繰出筒１２が光軸方向へ所定の軌跡で移動する。
【００２２】
ズームレンズ鏡筒ＺＬは、正規の撮影光路である各レンズ群ＬＧ１〜ＬＧ３を通らずに撮像素子２６側へ進もうとする有害光を防ぐ遮光手段を、撮像素子ホルダ２１上に備えている。この遮光手段は、筒状保持部２１ａの前面壁部２１ｂから光軸方向前方に突出する遮光壁２１ｅからなる。図３及び図４から分かるように、遮光壁２１ｅは、矩形をなす前面開口２１ｃの４辺のうち、半円状凹部２１ｄに隣接する一辺を除く他の３辺を囲む位置に配した直線状壁部と、各直線状壁部を接続する湾曲状壁部からなっている。撮像素子ホルダ２１は合成樹脂の成形品であり、遮光壁２１ｅは、筒状保持部２１ａの一部として一体に形成されている。
【００２３】
レンズ系（ＬＧ１〜ＬＧ３）を通った被写体光は、前面開口２１ｃを通して筒状保持部２１ａ内に入り、ローパスフィルタ２５によりノイズの原因となる高周波数域の光がカットされた後、撮像素子２６の受光面２６ａに入射する。図１及び図２から分かるように、遮光壁２１ｅは、光軸Ｏを中心とする径方向において、撮影光学系の最像面側レンズである第３レンズ群ＬＧ３の外縁部よりも外径側に配置されており、第３レンズ群ＬＧ３の後面（凸面）から出て撮像素子２６に向かおうとする被写体光については遮光壁２１ｅによって遮断されることがない。一方、図１に示すように、各レンズ群ＬＧ１〜ＬＧ３を通らずに撮像素子ホルダ２１の前面開口２１ｃに向かう有害光ＨＬは、遮光壁２１ｅによって遮断される。なお、図１では有害光の例として、ハウジング２２の前端部とカム環１１の間の隙間から進入し、ハウジング２２の内面で反射された内面反射光を示しているが、これ以外に、３群レンズ枠５１のレンズ保持筒部５１ａの外側（ガイド腕部５１ｂ、５１ｃの間の空間）を通過する迷光などについても遮光壁２１ｅで遮断することが可能である。
【００２４】
図５に示すように、３群レンズ枠５１のレンズ保持筒部５１ａの後面側には、光軸方向後方に向けて開口する有底の凹部として、遮光壁２１ｅが進入可能な遮光壁格納凹部５１ｅが形成されている。図５では、識別しやすくするために、遮光壁格納凹部５１ｅの底部（光軸方向前方の面）にハッチングを付している。同図から分かるように、遮光壁格納凹部５１ｅは、角部が丸められた略正方形をなす第３レンズ群ＬＧ３のうち、２群レンズ収納凹部５１ｄに面する側の一辺を除いた残り３辺を囲む位置に形成されており、遮光壁２１ｅにおける３つの直線状壁部と、これらを接続する湾曲状壁部とに対応した形状となっている。
【００２５】
３群レンズ枠５１にはさらに、レンズ保持筒部５１ａとガイド腕部５１ｃの境界付近（２群レンズ収納凹部５１ｄの近傍）に、後方へ突出する壁部として、サブ遮光壁５１ｆが形成されている（図１、図２及び図５参照）。光軸Ｏに沿って正面視して、サブ遮光壁５１ｆは、撮像素子ホルダ２１の前面開口２１ｃの４辺のうち、遮光壁２１ｅによって囲まれていない残り一辺部に沿う位置に配置されている。このサブ遮光壁５１ｆによって、遮光壁２１ｅがカバーしていない側からの前面開口２１ｃへの有害光の入射を防ぐことができる。図１の上半と下半は、撮影状態でＡＦモータ１６０により制御される３群レンズ枠５１の光軸方向の移動範囲の前方端と後方端付近を示しているが、３群レンズ枠５１がこの移動範囲のいずれにある場合でも、サブ遮光壁５１ｆの形成領域では、遮光壁２１ｅの形成領域と同等の有害光遮断効果を得ることができる。
【００２６】
以上の構造からなるズームレンズ鏡筒ＺＬは次のように動作する。図１に示す撮影状態（ズーム域）でズームモータ１５０を正逆に駆動すると、ハウジング２２に対してカム環１１が光軸方向に移動する。カム環１１の光軸方向位置はカム環ガイド溝２２ａの軌跡により制御される。第１レンズ群ＬＧ１を支持する繰出筒１２と、第２レンズ群ＬＧ２を支持する２群レンズブロック８０（２群レンズ移動枠８）はそれぞれ、カム環１１の回転に応じてカムフォロアＣＦ１、ＣＦ２がカム溝ＣＧ１、ＣＧ２の案内を受けて光軸方向に相対移動し、図１上半のワイド端では第１レンズ群ＬＧ１と第２レンズ群ＬＧ２の間隔が大きく、図２下半のテレ端では第１レンズ群ＬＧ１と第２レンズ群ＬＧ２の間隔が小さくなる。ワイド端からテレ端までのズーム域全体において、２群レンズ保持枠６は、第２レンズ群ＬＧ２の中心を光軸Ｏに一致させる挿入位置（図１）に保持される。また、３群レンズ枠５１はＡＦモータ１６０によって光軸方向に駆動され、第３レンズ群ＬＧ３が被写体距離に応じた合焦位置に位置制御される。
【００２７】
一方、図１に示す撮影状態（より詳細には図１上半のワイド端）からズームモータ１５０を鏡筒収納方向に駆動させると、ガイド突起１１ａがカム環ガイド溝２２ａの案内を受け、カム環１１が回転しながら光軸方向後方へ移動される。繰出筒１２と２群レンズブロック８０（２群レンズ移動枠８）は、カム環１１上のカム溝ＣＧ１、ＣＧ２の軌跡による所定の相対移動を伴いつつ、カム環１１と共に光軸方向後方へ移動する。そして、２群レンズ移動枠８と共に２群レンズ保持枠６が光軸方向後方へ移動して撮像素子ホルダ２１に接近すると、２群レンズ保持枠６が離脱位置へ向けて回動し、離脱位置に移動する（図２）。また、撮影状態からの収納動作では、３群レンズ枠５１は光軸方向後方に移動されて、図２の収納状態では、レンズ保持筒部５１ａを撮像素子ホルダ２１の筒状保持部２１ａに近接させた後方移動端まで後退される。この３群レンズ枠５１の後方移動端では、図２から分かるように、２群レンズ収納凹部５１ｄが半円状凹部２１ｄに嵌ると共に、遮光壁格納凹部５１ｅ内に遮光壁２１ｅが進入する。また、サブ遮光壁５１ｆは、筒状保持部２１ａの外側空間に進入し、撮像素子ホルダ２１とは干渉しない。
【００２８】
なお、収納状態になるときの３群レンズ枠５１の後方移動端への移動は、ＡＦモータ１６０を駆動して行わせる態様と、２群レンズブロック８０の後退移動力により３群レンズ枠５１を後方に押圧して行わせる態様のいずれとすることも可能である。３群レンズ枠５１は、３群付勢バネ５５によって光軸方向前方へ付勢され、ＡＦナット５４に当て付いて前方への移動が規制された構造であるため、２群レンズブロック８０によって後方に押圧して移動させることができる。２群レンズブロック８０は、ズーム域では、３群レンズ枠５１に当接する位置まで後退することがないように撮影状態での可動範囲が定められているため、収納動作以外では３群レンズ枠５１の位置制御には影響することがない。
【００２９】
前述の通り、図１の撮影状態では、撮像素子ホルダ２１に設けた遮光壁２１ｅや３群レンズ枠５１のサブ遮光壁５１ｆによって、前面開口２１ｃへの有害光（ＨＬ）の入射を防ぐことができる。ズームレンズ鏡筒ＺＬにおける可動部位である変倍群（カム環）ブロックの外側から深い（光軸Ｏに対する傾きが大きい）角度で入ってくるこのような有害光ＨＬを遮断する場合、従来では、カム環１１の後端部に光軸Ｏと直交する平面状の環状遮光部材を設けるなどしていたが、その遮光部材は大径の環状部材であるカム環１１に対応した大型なものになってしまう。また、３群レンズ枠５１のレンズ保持筒部５１ａの外側を通る有害光を遮断する場合に、３群レンズ枠５１の一対のガイド腕部５１ｂ、５１ｃの間を塞ぐような形態の遮光部材は、同様に大型のものになってしまう。そして、これらの大型の遮光部材は、単に大型であるだけでなく、各可動部材間のスペースが極めて小さくなる図２の収納状態になるとき、他の可動部材と干渉してその収納動作の妨げとなるおそれがある。これに対し、本実施形態の遮光壁２１ｅは、撮像素子２６の受光面に近い撮像素子ホルダ２１の筒状保持部２１ａの前面に、前方へ突出する壁部として設けられているため、極めて小型に構成することができる。また、遮光壁２１ｅは撮像素子ホルダ２１の一部として一体に成形されるので、製造コストが低く、取り付けの手間もかからない。加えて、ズームレンズ鏡筒ＺＬの収納状態では、遮光壁２１ｅは３群レンズ枠５１の遮光壁格納凹部５１ｅに入り込むため、３群レンズ枠５１との干渉が生じず、収納状態でのスペース効率にも優れている。また、遮光壁２１ｅと共に遮光手段を構成するサブ遮光壁５１ｆは、３群レンズ枠５１のレンズ保持筒部５１ａのうち２群レンズ収納凹部５１ｄに沿う一辺部にのみ設けられているので、これも小型に構成することができる。
【００３０】
以上、図示実施形態に基づき説明したが、本発明はこれに限定されるものではない。例えば、図示実施形態では、遮光壁２１ｅは、撮像素子ホルダ２１における前面開口２１ｃを構成する４辺のうち半円状凹部２１ｄに隣接する一辺を除く３辺を囲む壁部として構成されているが、これは、第２レンズ群ＬＧ２を撮影状態での挿入位置と収納状態での離脱位置に移動させる関係上、その離脱用のスペースとして３群レンズ枠５１の２群レンズ収納凹部５１ｄや撮像素子ホルダ２１の半円状凹部２１ｄが設けられていることに由来する。第２レンズ群ＬＧ２がこのような離脱移動を行わない場合、撮像素子ホルダ２１に半円状凹部２１ｄを形成せず、遮光壁２１ｅを、前面開口２１ｃの４辺全てを囲む完全環状の壁部として形成してもよい。この場合、３群レンズ枠５１からサブ遮光壁５１ｆを省略することができる。あるいは逆に、有害光の進入方向が特定されている場合には、当該特定範囲にのみに対応する、図示実施形態の遮光壁２１ｅよりも狭い範囲の遮光壁を配することも可能である
【符号の説明】
【００３１】
６  ２群レンズ保持枠
８  ２群レンズ移動枠
１０  直進案内環
１１  カム環
１２  繰出筒
２１  撮像素子ホルダ（撮像素子保持部材）
２１ａ  筒状保持部
２１ｂ  前面壁部
２１ｃ  前面開口
２１ｄ  半円状凹部
２１ｅ  遮光壁
２２  ハウジング
２６  撮像素子
５１  ３群レンズ枠（進退部材）
５１ａ  レンズ保持筒部
５１ｅ  遮光壁格納凹部
５１ｆ  サブ遮光壁
６２  撮像素子保持板
８０  ２群レンズブロック
１００  シャッタブロック
１５０  ズームモータ
１６０  ＡＦモータ
ＣＦ１  １群用カムフォロア
ＣＦ２  ２群用カムフォロア
ＣＧ１  １群制御カム溝
ＬＧ１  第１レンズ群
ＬＧ２  第２レンズ群
ＬＧ３  第３レンズ群（最像面側レンズ群）
ＺＬ  ズームレンズ鏡筒
【図１】
2011150131.tif 000003
【図２】
2011150131.tif 000004
【図３】
2011150131.tif 000005
【図４】
2011150131.tif 000006
【図５】
2011150131.tif 000007